(57)【特許請求の範囲】
【請求項１】
供試継電器の特性試験を行うための発振周波数、出力振幅及び位相を設定すると共に、測定条件や測定要素等の試験データを入力する設定入力手段と、
この設定入力手段より入力される各データを記憶する記憶手段と、
予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力されると前記記憶手段より設定条件及び試験データを取込んで前記ステップスイープ機能、急変リピート機能、シーケンス機能の何れかを選択して起動し、前記設定条件及び試験データに基いて電圧又は電流信号を出力すると共に、前記供試継電器の出力信号を取込んでその時点での電圧又は電流値を計測する制御手段と
を備えたことを特徴とする自動リレー試験装置用８相発振器。
【請求項２】
供試継電器の特性試験を行うための発振周波数、出力振幅及び位相を設定すると共に、測定条件や測定要素等の試験データを入力する設定入力手段と、
この設定入力手段より入力される各データを記憶する記憶手段と、
予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記記憶手段より設定条件及び試験データを取込んで前記ステップスイープ機能を選択して起動すると前記設定条件及び試験データに基いて電圧又は電流信号を出力すると共に、前記供試継電器の出力信号を取込んでその時点での電圧又は電流値を計測する制御手段とを備え、
前記制御手段は、前記供試継電器より第１のステップレベルによる動作信号を受けると前記ステップスイープ機能を停止してその状態をホールドし、次のスタート指令が入力されると前記ステップスイ−プ機能を動作させてバックステップさせた状態から前記第１のステップレベルより小さなステップ幅の第２のステップレベルでステップスイープし、ストップレベルに達したことが判定されるとその時の動作値をホールドすると共に、外部に出力することを特徴とする自動リレー試験装置用８相発振器。
【請求項３】
供試継電器の特性試験を行うための発振周波数、出力振幅及び位相を設定すると共に、測定条件や測定要素等の試験データを入力する設定入力手段と、
この設定入力手段より入力される各データを記憶する記憶手段と、
予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記記憶手段より設定条件及び試験データを取込んで前記急変リピート機能を選択して起動すると、前記設定条件及び試験データに基いて正常時及び故障時の電圧又は電流信号を一定のインターバル毎に繰返し出力すると共に、前記供試継電器の出力信号を取込んでその時点での電圧又は電流の最大値及び最小値を計測する制御手段と、
この制御手段より出力される電圧又は電流信号が正常時から故障時又は故障時から正常時に急変するとカウントを開始し、前記供試継電器より動作信号又は復帰信号が入力されるとカウントアップして前記供試継電器の動作時間及び復帰時間を計測する計測手段とを備え、
前記制御手段は、スタート指令を受けると急変リピートを繰返し、その繰返しが指定された回数に達したかどうかを判定し、指定回数に達すると前記計測手段より供試継電器の動作時間及び復帰時間データを取込んで外部に出力することを特徴とする自動リレー試験装置用８相発振器。
【請求項４】
供試継電器の特性試験を行うための発振周波数、出力振幅及び位相を設定すると共に、測定条件や測定要素等の試験データを入力する設定入力手段と、
この設定入力手段より入力される各データを記憶する記憶手段と、
予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記設定入力手段により設定され且つ前記記憶手段に記憶された複数のパラメータの移行順序及び組合せ並びに前記試験データを取込んで前記シーケンス機能を選択して起動すると、前記パラメータの移行順序及び組合せ並びに前記試験データに基いて急変指令、しゃ断器のトリップ指令、しゃ断器の再投入指令等を外部へ出力する制御手段とを備え、
前記制御手段は、定常状態モードから設定時間後に故障状態に移行するモードを有し、急変開始から前記しゃ断器にトリップ指令が出力されるまでの時間及び急変時に前記トリップ指令が出されてから再閉路指令が出されるまでの時間を計測して外部へ出力することを特徴とする自動リレー試験装置用８相発振器。
【発明の詳細な説明】
【０００１】
【発明の属する技術分野】
本発明は、保護継電器の単体試験や模擬故障試験に使用される自動リレー試験装置用８相発振器に関する。
【０００２】
【従来の技術】
従来、保護継電器の特性試験を行う試験装置としては、図９に示すようにパーソナルコンピュータ（以下単にパソコンと称する）１、電圧・電流発生器２、増幅器３から構成されたものがある。
【０００３】
上記パソコン１は予めプログラムされた供試継電器４の特性を試験するためのものであり、電圧・電流発生器２はパソコン１から入力される試験データに基き電圧又は電流を発生するものである。
【０００４】
また、増幅器３は電圧・電流発生器２より入力される電圧又は電流を予め設定されたゲインに基いて増幅し、これを供試継電器４に出力するものである。
次に上記のような保護継電器の試験装置において、例えば過電圧継電器の試験を行う場合を図１０を参照して説明する。
【０００５】
まず、継電器試験を始める前に、手動にて増幅器３のゲイン調整を行う。
いま、パソコン１からの指令により電圧・電流発生器２が動作を開始すると、図１０に示すようにリニアに変化する電圧が発生し、この電圧は増幅器３により増幅されて供試継電器４に与えられる。そして、供試継電器４に与えられる電圧がある電圧値を越えると動作し、供試継電器４から電圧・電流発生器２に継電器動作信号が入力される。
【０００６】
この電圧・電流発生器２では継電器動作信号が入力されたときの電圧をパソコン１に与える。パソコン１では電圧・電流発生器２より取込んだ電圧を図１０に示すリニア特性をもとに増幅器３のゲイン定数により供試継電器４に印加されている電圧を計算により求めている。
【０００７】
【発明が解決しようとする課題】
しかし、このような従来の保護継電器の試験装置において、電圧・電流発生器２はホストコントローラとなるパソコン１からの指示により正弦波（商用周波数のみ）電圧を出力するだけの信号変換器としての機能しかないため、供試継電器４の動作時に発生している電圧・電流発生器２の出力電圧と、電圧・電流発生器２が継電器動作信号を受け、その時の電圧をもとにパソコン１にて測定データを求めるまでに保護継電器の動作時間によるタイムラグがあり、測定精度が低い。
【０００８】
また、供試継電器４より電圧・電流発生器２に継電器動作信号が入力されたときの電圧と増幅器の入力電圧のリニア特性から増幅器３のゲイン調整により供試継電器４に印加されている電圧を計算により求めているため、測定誤差が生じるという問題がある。
【０００９】
さらに、増幅器のゲインを手動で調整しているため、精度管理が不明確であり、試験装置全体を定期的に校正する必要があり、多大な手間と時間を要するという問題がある。
【００１０】
本発明は、上記のような事情に鑑みてなされたもので、多種類の保護継電器を高精度に簡単且つ容易に試験することができる自動リレー試験装置用８相発振器を提供することを目的とする。
【００１１】
【課題を解決するための手段】
本発明は上記の目的を達成するため、次のような手段により自動リレー試験装置用８相発振器を構成するものである。
請求項１に対応する発明は、供試継電器の特性試験を行うための発振周波数、出力振幅及び位相を設定すると共に、測定条件や測定要素等の試験データを入力する設定入力手段と、この設定入力手段より入力される各データを記憶する記憶手段と、予め設定されたスタート値、ストップ値、ステップ値及びステップ時間に基いて電圧又は電流をスタート値からストップ値に向けてステップスイープさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力されると前記記憶手段より設定条件及び試験データを取込んで前記ステップスイープ機能、急変リピート機能、シーケンス機能の何れかを選択して起動し、前記設定条件及び試験データに基いて電圧又は電流信号を出力すると共に、前記供試継電器の出力信号を取込んでその時点での電圧又は電流値を計測する制御手段とを備える。
【００１２】
請求項２に対応する発明は、供試継電器の特性試験を行うための発振周波数、出力振幅及び位相を設定すると共に、測定条件や測定要素等の試験データを入力する設定入力手段と、この設定入力手段より入力される各データを記憶する記憶手段と、予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記記憶手段より設定条件及び試験データを取込んで前記ステップスイープ機能を選択して起動すると前記設定条件及び試験データに基いて電圧又は電流信号を出力すると共に、前記供試継電器の出力信号を取込んでその時点での電圧又は電流値を計測する制御手段とを備え、前記制御手段は、前記供試継電器より第１のステップレベルによる動作信号を受けると前記ステップスイープ機能を停止してその状態をホールドし、次のスタート指令が入力されると前記ステップスイ−プ機能を動作させてバックステップさせた状態から前記第１のステップレベルより小さなステップ幅の第２のステップレベルでステップスイープし、ストップレベルに達したことが判定されるとその時の動作値をホールドすると共に、外部に出力する。
【００１３】
請求項３に対応する発明は、供試継電器の特性試験を行うための発振周波数、出力振幅及び位相を設定すると共に、測定条件や測定要素等の試験データを入力する設定入力手段と、この設定入力手段より入力される各データを記憶する記憶手段と、予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記記憶手段より設定条件及び試験データを取込んで前記急変リピート機能を選択して起動すると、前記設定条件及び試験データに基いて正常時及び故障時の電圧又は電流信号を一定のインターバル毎に繰返し出力すると共に、前記供試継電器の出力信号を取込んでその時点での電圧又は電流の最大値及び最小値を計測する制御手段と、この制御手段より出力される電圧又は電流信号が正常時から故障時又は故障時から正常時に急変するとカウントを開始し、前記供試継電器より動作信号又は復帰信号が入力されるとカウントアップして前記供試継電器の動作時間及び復帰時間を計測する計測手段とを備え、前記制御手段は、スタート指令を受けると急変リピートを繰返し、その繰返しが指定された回数に達したかどうかを判定し、指定回数に達すると前記計測手段より供試継電器の動作時間及び復帰時間データを取込んで外部に出力する。
【００１４】
請求項４に対応する発明は、供試継電器の特性試験を行うための発振周波数、出力振幅及び位相を設定すると共に、測定条件や測定要素等の試験データを入力する設定入力手段と、この設定入力手段より入力される各データを記憶する記憶手段と、予め設定されたスタート値、ストップ値、ステップ値及びステップ時間に基いて電圧又は電流をスタート値からストップ値に向けてステップスイ−プさせるステップスイープ機能、予め設定された定常及び故障の２つの状態の急変インターバル又は指定位相及び急変タイミングに基いて電圧又は電流を定常状態と故障状態とに交互に指定回数だけ繰返して急変させる急変リピート機能及び予め電圧又は電流の振幅及び位相についてそれぞれ設定された複数のパラメータの状態を急変ステップの順序及び組合せに基き連続して急変させるシーケンス機能を有し、スタート指令が入力され前記設定入力手段により設定され且つ前記記憶手段に記憶された複数のパラメータの移行順序及び組合せ並びに前記試験データを取込んで前記シーケンス機能を選択して起動すると、前記パラメータの移行順序及び組合せ並びに前記試験データに基いて急変指令、しゃ断器のトリップ指令、しゃ断器の再投入指令等を外部へ出力する制御手段とを備え、前記制御手段は、定常状態モードから設定時間後に故障状態に移行するモードを有し、急変開始から前記しゃ断器にトリップ指令が出力されるまでの時間及び急変時に前記トリップ指令が出されてから再閉路指令が出されるまでの時間を計測して外部へ出力する。
【００１５】
従って、上記請求項１乃至請求項４に対応する発明の自動リレー試験装置用８相発振器にあっては、ステップスイープ機能、急変リピート機能及びシーケンス機能の何れかを選択して各機能に応じて発振周波数、出力振幅及び位相を設定すると共に、測定条件や測定要素等の試験データを入力するだけで、供試継電器の各種一連の特性試験を自動的に行うことができると共に、その時の測定データを保持することが可能となるので、測定誤差の少ない測定データを簡単、且つ容易に得ることができる。
【００１６】
【発明の実施の形態】
以下本発明の実施の形態を図面を参照して説明する。
図１は本発明による８相発振器を適用した保護継電器の試験装置の構成例を示すブロック図ある。
【００１７】
本構成例では、図１に示すようにパソコン１１、８相発振器１２、無歪試験器１３、測定器１４及びＧＰＩＢコネクタ１６から構成されている。
上記パソコン１１は、予めプログラムされた供試継電器１５の特性を試験するための電圧、電流、周波数及び位相等の試験データを出力するものであり、８相発振器１２は詳細を後述するステップスイープ機能、急変リピート機能、シーケンス機能、データ伝送機能、リレー動作信号を取込むと共に、出力を保持する機能及びカウンタ機能を有し、パソコン１１から入力される試験データに基き電圧、電流を発生するものである。ここで、８相発振器１２は三相各相（Ｒ，Ｓ，Ｔ）と中性相（Ｎ）の計８相に対応する電圧信号及び電流信号をそれぞれ出力する機能を有している。
【００１８】
無歪試験機１３は、ＡＣ２００Ｖの電源で、歪率の低い正弦波の電圧又は電流を出力するもので、増幅部として機能するものである。
測定器１４は電圧、電流、位相、周波数等の多要素を測定できるもので、その測定信号をアナログ信号からディジタル信号に変換する機能を有している。
【００１９】
ＧＰＩＢコネクタ１６は、測定器１４とパソコン１１及び８相発振器１２にリンクし、これらの間を結合してデータ伝送が可能なものである。
図２は上記８相発振器１２の実施の形態を示すブロック構成図である。
【００２０】
２１は試験の種類に応じた条件で発振周波数、出力振幅及び位相を設定する設定入力部、２２は設定入力部２１より設定条件が入力されると、その設定条件に基いて制御演算を実行し、外部のリレーに出力部２３を通して各相の電圧レベル信号、電流レベル信号を出力すると共に、外部よりリレー出力、しゃ断器接点やトリップ電圧、再閉路電圧、急変開始接点等のシーケンスがそれぞれ入力されると、リレーの応答や一連のシーケンス動作を判定する制御部で、この制御部２２はステップスイープ機能、急変リピート機能、シーケンス機能、データ伝送機能、リレー動作信号を取込むと共に、出力を保持する機能及びカウンタ機能を有している。
【００２１】
ここで、上記ステップスイープ機能は、予め設定されたスタート値、ストップ値、ステップ値及びステップ時間に基いて電圧又は電流をスタート値からストップ値に向けてステップスイープさせるものである。また、急変リピート機能は予め設定された定常及び故障の２つの状態の急変インターバル又は指定位相及び急変タイミングに基いて電圧又は電流を定常状態と故障状態とに交互に指定回数だけ繰返して急変させるものである。さらに、シーケンス機能は予め電圧又は電流の振幅及び位相についてそれぞれ設定された複数のパラメータの状態を急変ステップの順序及び組合せに基き連続して急変させるものである。
【００２２】
また、２４は設定入力部２１で設定された入力条件、制御部２２で判定された測定データを記憶するメモリ、２５は制御部で制御演算を実行して各種リレーの特性の良否を判定する際の時間を計測するためのタイムカウンタである。
【００２３】
なお、上記入、出力回路は、Ｒ相、Ｓ相、Ｔ相、Ｎ相の電圧信号及び電流信号の８相に対してそれぞれ入、出力可能な構成となっている。
次に上記のように構成された自動リレー試験装置用８相発振器の作用を供試継電器１５として過電圧継電器を用いた場合の試験について述べる。
【００２４】
まず、設定入力部２１よりステップスープ機能を選択した場合の作用について図３により説明する。
いま、ステップＳ１で設定入力部２１より試験データとしてスタート状態の電圧、振幅値、位相等の測定条件、ここでは電圧をステップスイープ条件とし（ここでは変化幅の大きいステップ幅をレベルＶ１、変化幅の小さいステップ幅をＶ２とする）、リレー検出時間及び測定要素（ここでは電圧）を入力すると、これらはメモリ２４に記憶され、ステップＳ２にて設定条件の準備が完了したか否かを判定する。
【００２５】
そして、このステップＳ２で設定準備が完了したことが確認されると、ステップＳ３にて外部より（パソコンよりＧＰＩＢコネクタを通して）スタート指令が入力されたか否かを判定し、スタート指令が入力されたと判定されるとステップＳ４にてステップスイープ機能が起動される。
【００２６】
ステップスイープ機能が起動されると制御部２２ではステップ電圧Ｖ１を発生し、この電圧は無歪試験器により増幅された後、過電圧継電器に与えられる。
次にステップＳ５にてリレー応答信号があるか否かを判定し、応答信号がなければステップＳ６にてステップスイープを継続し、ステップＳ７にてストップレベルに達したか否かを判定し、達したことが判定されると終了する。
【００２７】
また、上記ステップＳ５にてリレー応答信号があると判定されると、ステップＳ８にてステップスイープ機能を停止させると同時に、そのときの電圧状態をホールドし、ステップＳ９にて外部にその旨の信号を出力する。
【００２８】
次いで、ステップＳ１０にて外部より次の指令があるか否かを判定し、次の指令があると判定されると前述したステップＳ４に戻り、ステップスイープ機能を起動し、前述同様の処理が行われる。また、ステップＳ１０にて外部より次の指令がないと判定されると、ステップＳ１１にてステップスイープを終了し、ステップＳ１２にて外部よりリセット指令を受けると過電圧継電器の試験が終了する。
【００２９】
図４は上記のような処理により８相電圧発振器より発生する電圧Ｖ１のステップスイープと電圧Ｖ２のステップスイープの状態を示すタイムチャートである。図４からも明らかなように、変化幅の大きい電圧Ｖ１がステップスイープしながら発生し、過電圧継電器の動作値を超えると動作し、その動作信号が入力されるとその電圧状態を保持する。その後、外部から再度スタート指令が入力されると、電圧レベルを１ステップダウンさせ、過電圧継電器が復帰したことを確認した後、変化幅の小さい電圧Ｖ２が前述同様にステップスイープしながら発生し、過電圧継電器の動作値を超えると動作し、その動作信号が入力されるとその電圧状態を保持する。
【００３０】
このようにステップスイープ機能は、スタートをＧＰＩＢにより開始し、予め選択された外部信号入力の動作検出によりストップする。このときの動作点のデータはメモリに記憶されると共に、ＧＰＩＢにて信号（ＳＲＱ）を発生し、また外部信号入力の状態変化がなくても上限値に達した場合はストップし、動作検出点のパラメータはデータとして次の動作検出まで記憶される。そして、動作点が検出された後、バックステップの指令を受けるとステップスイープがバックステップし、動作点と同様に復帰点を検出して復帰点データが記憶される。
【００３１】
従って、被試験継電器の一連の静特性試験を自動的に行うことが可能となり、測定誤差の少ない測定データを簡単、且つ容易に得ることができる。
次に設定入力部２１より急変リピート機能を選択した場合の作用について図５により説明する。
【００３２】
いま、ステップＳ２１で設定入力部２１より試験データとして正常電圧値と故障電圧値、試験インターバル周期及び繰返し試験回数等の設定条件を入力すると、これらはメモリ２４に記憶され、ステップＳ２２にて設定条件の準備が完了したか否かを判定する。この場合、メモリ２４は供試継電器（ここでは不足電圧継電器）の動作時間、復帰時間の最大、最小値を記憶する。
【００３３】
そして、このステップＳ２２で設定準備が完了したことが確認されると、ステップＳ２３にて外部より（パソコンよりＧＰＩＢコネクタを通して）スタート指令が入力されたか否かを判定し、スタート指令が入力されたと判定されるとステップＳ２４にて急変リピートを繰返す。この場合、タイムカウンタ２５は不足電圧継電器の動作信号を直接取込むことにより時間測定する。
【００３４】
急変リピートが繰返されると制御部２２では試験インターバル毎にまず正常電圧を発生し、続いてこの正常電圧から急変した故障電圧を発生して無歪み試験器を通して不足電圧継電器に与える。そして、ステップＳ２５によりこれら正常電圧と故障電圧とが指定回数繰返されたことが判定されると、制御部２２より出力部２３を通して無歪試験器に与えていた出力をオフすると同時に、そのときタイムカウンタ２５により計測されたデータを出力する。
【００３５】
図６は上記のような処理により発生する正常電圧と故障電圧の急変リピートの状態を示すタイムチャートである。
図６からも明らかなように、試験インターバル周期毎に正常電圧と故障電圧とを指定回数だけ繰返し発生し、その出力を不足電圧継電器に与えるとと共に、タイムカウンタ２５により正常電圧が故障電圧に急変してから不足電圧継電器が動作するまでの時間と故障電圧から正常電圧に急変してから不足電圧継電器が復帰するまでの時間を計測することができる。
【００３６】
このように急変リピート機能は、電圧について正常、故障の２つのパラメータの間を外部からの指令により急変開始し、指定された急変インターバルまたは指定されたタイミングで急変を行って指定回数繰返した後、定常状態で終了する。また、急変時の予め設定された外部信号の動作時間と復帰時間の最大値と最小値を計測する。
【００３７】
従って、被試験継電器の一連の動特性試験を自動的に行うことが可能となり、測定誤差の少ない測定データを簡単、且つ容易に得ることができる。
次に設定入力部２１よりシーケンス機能を選択した場合の作用について図７に示すフローチャート及び図８に示すタイムチャートより説明する。なお、図８のタイムチャートにおいては、図示するように２端子の送電系統において、Ｆ点に内部事故が発生したことを想定した場合のシーケンス動作を示している。
【００３８】
いま、ステップＳ３１で設定入力部２１より試験データとして各電圧・電流信号の振幅・位相についてＡ，Ｂ，Ｃ，Ｄの４つのパラメータを設定して入力すると、これらはメモリ２４に記憶され、ステップＳ３２にて設定準備が完了したか否かを判定する。この場合、Ａ，Ｂ，Ｃ，Ｄはそれぞれ異なる振幅・位相の出力状態であり、これらをプログラムされた順序及び組合せでシーケンス急変させることが可能である。
【００３９】
次にステップＳ３３でスタート指令があるか否かを判定し、外部からスタート指令が入力されていると判定されると、定常状態モード１（Ａ）に移行する。この定常状態モード１では、スタート指令が入力されてからｔ１  時間後に急変指令を出力し、さらに急変指令出力が出されてから設定時間ｔ８  後に故障状態モード２（Ｂ）に移行する。
【００４０】
この故障状態モード２（Ｂ）の状態にあるとき、スタート指令が入力されてからｔ１  ＋ｔ２  時間後にトリップ指令が入力されると、ステップＳ３６にてしゃ断器のステータスに状変があるか否かを判定し、状変があると判定されるとステップ３７にて次のモード３（Ｃ）に移行する。
【００４１】
そして、急変指令が出力されてからｔ２  ＋ｔ４  時間経過後に再投入指令が出されると、ステップＳ３８にて最終モード４（Ａ）になったか否かを判定し、最終モードであることが確認されると一連のシーケンス機能が終了する。
【００４２】
このように外部からのスタート指令によりシーケンスが開始されると、ｔ１  時間後に急変開始信号が出力され、その後はしゃ断器のステータス信号が変化する度に変化する。この時、急変指令が出されてからトリップ指令が出力されるまでの時間ｔ２  とトリップ指令が出されてから再投入指令が出力されるまでの時間ｔ４  を計測してトリップ時間（ｔ２  −ｔ８）、再閉路時間（ｔ２  −ｔ８  ＋ｔ４）を計算し出力することにより、系統事故時における供試継電器の一連のシーケンス動作の試験を行うことができる。
【００４３】
なお、上記実施の形態では、供試継電器として電圧継電器を例に挙げて説明したが、電流継電器や周波数継電器等についても設定条件を適宜変えるだけで前述同様の機能により一連の試験を自動的に行うことができるものである。
【００４４】
【発明の効果】
以上述べたように本発明によれば、多種類の保護継電器を測定誤差の少ない測定データにより簡単且つ容易に試験することができる自動リレー試験装置用８相発振器を提供できる。
【図面の簡単な説明】
【図１】本発明を適用した試験装置の構成例を示すブロック図。
【図２】本発明による８相発振器の実施の形態を示すブロック図。
【図３】同実施の形態において、ステップスイープ機能を選択して過電圧継電器を試験するときのフローチャート。
【図４】同じく過電圧継電器の静特性試験について説明するためのタイムチャート。
【図５】同実施の形態において、急変リピート機能を選択して不足電圧継電器を試験するときのフローチャート。
【図６】同じく過電圧継電器の動特性試験について説明するためのタイムチャート。
【図７】同実施の形態において、シーケンス機能を選択して供試継電器を試験するときのフローチャート。
【図８】同じく供試継電器のシーケンス試験について説明するためのタイムチャート。
【図９】従来の保護継電器の試験装置を示すブロック図。
【図１０】同装置において、供試継電器として過電圧継電器の静特性試験について説明するためのタイムチャート。
【符号の説明】
１１……パソコン
１２……８相発振器
１３……無歪試験器
１４……測定器
１５……供試継電器
１６……ＧＰＩＢコネクタ
２１……設定入力手段
２２……制御部
２３……出力部
２４……メモリ
２５……タイムカウンタ
【図１】
0003630839.tif 000002
【図２】
0003630839.tif 000003
【図３】
0003630839.tif 000004
【図４】
0003630839.tif 000005
【図５】
0003630839.tif 000006
【図６】
0003630839.tif 000007
【図７】
0003630839.tif 000008
【図８】
0003630839.tif 000009
【図９】
0003630839.tif 000010
【図１０】
0003630839.tif 000011